(57)【要約】無線網のサービス領域内でソース移動局（ＭＳ）と宛先移動局（ＭＳ）との間のパケットデータの呼接続を提供する無線通信システムは、ソース移動局と無線で通信する第１の基地局と、宛先移動局と無線で通信する第２の基地局と、第１の基地局と第２の基地局とを接続する移動電話交換局とを具備する。第１の基地局は、宛先移動局に移動局間のパケットデータの呼接続を要求する第１のメッセージをソース移動局から受信する。第１のメッセージに応じて、第１の基地局は、第１の基地局と第２の基地局とを結合するローカルＩＰネットワーク上で移動局間のパケットデータの呼接続の設定を初期化する。
2006524932.tif 000002
【特許請求の範囲】
【請求項１】
サービス領域内でソース移動局（ＭＳ）と宛先移動局（ＭＳ）との間のパケットデータの呼接続を提供する無線通信システムであって、
前記ソース移動局と無線で通信することができ、前記宛先移動局に移動局間のパケットデータの呼接続を要求する第１のメッセージを前記ソース移動局から受信することができ、前記第１のメッセージに応じて、ローカルＩＰネットワーク上で前記移動局間のパケットデータの呼接続の設定を初期化する第１の基地局と、
前記宛先移動局と無線で通信することができる第２の基地局と、
前記第１の基地局と前記第２の基地局とを接続することができる移動電話交換局と
を具備することを特徴とするシステム。
【請求項２】
前記第１のメッセージは、
前記移動局間のパケットデータの呼接続が要求されることを示すサービスオプションフィールドを有する発信メッセージを具備することを特徴とする請求項１記載のシステム。
【請求項３】
前記第１の基地局は、
前記宛先移動局に前記移動局間のパケットデータの呼接続が要求されることを示す第２のメッセージを前記移動電話交換局へ送信することによって、前記第１のメッセージに応答することを特徴とする請求項１記載のシステム。
【請求項４】
前記第２のメッセージは、
前記移動局間のパケットデータの呼接続が要求されることを示す前記サービスオプションと、前記宛先移動局に関連した電話番号と、前記第１の基地局のＩＰアドレスとを含むＣＭサービス要求メッセージを具備することを特徴とする請求項３記載のシステム。
【請求項５】
前記移動電話交換局は、
前記移動局間のパケットデータの呼接続が要求されることを示す第３のメッセージを前記第２の基地局へ送信することによって、前記第２のメッセージに応答することを特徴とする請求項３記載のシステム。
【請求項６】
前記第３のメッセージは、ページング要求メッセージであることを特徴とする請求項５記載のシステム。
【請求項７】
前記第２の基地局は、
前記ローカルＩＰネットワーク上の前記第２の基地局のＩＰアドレスを含む第４のメッセージを前記移動電話交換局へ送信することによって、前記第３のメッセージに応答することを特徴とする請求項５記載のシステム。
【請求項８】
前記第４のメッセージは、ページング応答メッセージを具備することを特徴とする請求項７記載のシステム。
【請求項９】
前記移動電話交換局は、
前記第２の基地局の前記ＩＰアドレス及び前記宛先移動局に関連した移動局識別子値を含む第５のメッセージを前記第１の基地局へ送信することによって、前記第４のメッセージに応答することを特徴とする請求項７記載のシステム。
【請求項１０】
前記第５のメッセージは、
前記第２の基地局の前記ＩＰアドレス及び前記移動局識別子値を含む割当て要求メッセージを具備することを特徴とする請求項９記載のシステム。
【請求項１１】
前記第１の基地局は、
前記ローカルＩＰネットワークを介して前記第２の基地局に関連したパケットデータベアラーの接続を設定するために、前記第２の基地局の前記ＩＰアドレスを使用することによって、前記第５のメッセージに応答することを特徴とする請求項９記載のシステム。
【請求項１２】
前記第１の基地局は、
前記宛先移動局へ伝達されるように、前記ソース移動局からのデータパケットを識別するために、前記宛先移動局の移動局識別子を前記第２の基地局へ送信することを特徴とする請求項１１記載のシステム。
【請求項１３】
ソース移動局（ＭＳ）と無線で通信する第１の基地局と、宛先移動局（ＭＳ）と無線で通信する第２の基地局と、前記第１の基地局と前記第２の基地局とを接続する移動電話交換局とを具備する無線通信システムにおいて、前記ソース移動局と前記宛先移動局との移動局間（ＭＳ−ＭＳ）のパケットデータの呼接続を提供する方法であって、
前記第１の基地局が、前記宛先移動局に移動局間のパケットデータの呼接続を要求する第１のメッセージを前記ソース移動局から受信するステップと、
前記第１及び第２の基地局を接続するローカルＩＰネットワーク上で、前記移動局間のパケットデータの呼接続を設定することによって、前記第１のメッセージに応答するステップと
を含むことを特徴とする方法。
【請求項１４】
前記第１のメッセージは、
前記移動局間のパケットデータの呼接続が要求されることを示すサービスオプションフィールドを有する発信メッセージを具備することを特徴とする請求項１３記載の方法。
【請求項１５】
前記宛先移動局に前記移動局間のパケットデータの呼接続が要求されることを示す第２のメッセージを前記第１の基地局から前記移動電話交換局へ送信するステップをさらに具備することを特徴とする請求項１３記載の方法。
【請求項１６】
前記第２のメッセージは、
前記移動局間のパケットデータの呼接続が要求されることを示す前記サービスオプションと、前記宛先移動局に関連した電話番号とを含むＣＭサービス要求メッセージを具備することを特徴とする請求項１５記載の方法。
【請求項１７】
前記移動局間のパケットデータの呼接続が要求されることを示す第３のメッセージを前記移動電話交換局から前記第２の基地局へ送信して、前記第２のメッセージに応答するステップをさらに具備することを特徴とする請求項１５記載の方法。
【請求項１８】
前記第３のメッセージは、ページング要求メッセージであることを特徴とする請求項１７記載の方法。
【請求項１９】
前記ローカルＩＰネットワーク上の前記第２の基地局のＩＰアドレスを含む第４のメッセージを前記第２の基地局から前記移動電話交換局へ送信することによって、前記第３のメッセージに応答するステップをさらに具備することを特徴とする請求項１７記載の方法。
【請求項２０】
前記第４のメッセージは、
ページング応答メッセージを具備することを特徴とする請求項１９記載の方法。
【請求項２１】
前記第２の基地局の前記ＩＰアドレス及び前記宛先移動局に関連した移動局識別子値を含む第５のメッセージを前記移動電話交換局から前記第１の基地局へ送信することによって、前記第４のメッセージに応答するステップをさらに具備することを特徴とする請求項１９記載の方法。
【請求項２２】
前記第５のメッセージは、
前記第２の基地局の前記ＩＰアドレス及び前記移動局識別子値を含む割当て要求メッセージを具備することを特徴とする請求項２１記載の方法。
【請求項２３】
前記ＩＰネットワークを介して、前記第１の基地局から前記第２の基地局へのパケットデータベアラーの接続を設定するために、前記第２の基地局の前記ＩＰアドレスを使用することによって、前記第５のメッセージに応答するステップをさらに具備することを特徴とする請求項２１記載の方法。
【請求項２４】
サービス領域内において、ソース移動局（ＭＳ）と宛先移動局（ＭＳ）との間のパケットデータの呼接続を提供する無線通信システムであって、
前記ソース移動局と無線で通信することができ、前記ソース移動局が第３の基地局にハンドオフされることを示す第１のメッセージを前記ソース移動局から受信し、前記第１のメッセージに応じて、第２の基地局と前記第３の基地局との間で前記移動局間のパケットデータ呼に関連した前記パケットデータを直接的に送信するために、ＩＰネットワーク上で第１のパケットデータベアラーの接続の設定を初期化する第１の基地局と、
前記宛先移動局と無線で通信することができ、前記ソース移動局が前記第３の基地局からハンドオフされる場合に、前記第３の基地局との第２のパケットデータベアラーの接続が設定される第２の基地局と、
前記第１の基地局及び前記第２の基地局を接続することができる移動交換電話局と、
前記第２のパケットデータベアラーの接続を介して、前記第１の基地局と前記第２の基地局との間で前記移動局間のパケットデータ呼に関連したパケットデータを直接的に送信することができるローカルインターネットプロトコル（ＩＰ）ネットワークと
を含むことを特徴とするシステム。
【請求項２５】
前記第１のメッセージは、
前記第３の基地局に関連した信号強度測定値を含むことを特徴とする請求項２４記載のシステム。
【請求項２６】
前記第１の基地局は、
前記ソース移動局が前記第３の基地局にハンドオフされることを示す第２のメッセージを前記移動電話交換局へ送信することによって、前記第１のメッセージに対する応答を遂行することを特徴とする請求項２４記載のシステム。
【請求項２７】
前記第２のメッセージは、
前記ローカルＩＰネットワーク上の前記第２の基地局のＩＰアドレスと、前記移動局間のパケットデータ呼に関連したサービスオプションフィールドと、前記移動局間のパケットデータ呼を識別するための前記第１の基地局及び第２の基地局によって使用された呼識別子値と、前記ソース及び宛先移動局に関連した移動局識別子値とを含むことを特徴とする請求項２６記載のシステム。
【請求項２８】
前記第２のメッセージは、
ハンドオフ要求メッセージを具備することを特徴とする請求項２６記載のシステム。
【請求項２９】
前記移動電話交換局は、
前記第３の基地局に第３のメッセージを送信することによって、前記第２のメッセージに対する応答を遂行することを特徴とする請求項２４記載のシステム。
【請求項３０】
前記第３のメッセージは、
ＩＰネットワーク上の前記第２の基地局のＩＰアドレスと、移動局に関連したサービスオプションと、前記移動局間のパケットデータ呼を識別するための第１の基地局及び第２の基地局によって使用された呼識別子値と、前記ソース及び宛先移動局に関連した移動局識別子値とを含むことを特徴とする請求項２８記載のシステム。
【請求項３１】
前記第３のメッセージは、
ハンドオフ要求メッセージを含むことを特徴とする請求項２９記載のシステム。
【請求項３２】
前記第３の基地局は、
前記第２の基地局と前記第２のパケットデータベアラーの接続を設定することによって、前記第３のメッセージに応答することを特徴とする請求項２９記載のシステム。
【請求項３３】
前記第３の基地局は、
前記第２の基地局の前記ＩＰアドレスと、前記移動局間のパケットデータ呼を識別するための第１及び第２の基地局によって使用された前記呼識別子値と、前記ソース移動局及び宛先移動局に関連した前記移動局識別子値とを用いて、前記第２のパケットデータベアラーの接続を設定することを特徴とする請求項３２記載のシステム。
【請求項３４】
前記第２の基地局は、
前記第２のパケットデータベアラーの接続を介して、前記第３の基地局へ前記移動局間のパケットデータ呼に関連したパケットデータを送信することによって、前記第１のパケットデータベアラーの接続の設定に応答することを特徴とする請求項３２記載のシステム。
【請求項３５】
前記移動電話交換局は、
前記ソース移動局が前記第３の基地局にハンドオフされた後に、前記第１の基地局に第４のメッセージを送信することを特徴とする請求項３４記載のシステム。
【請求項３６】
前記第４のメッセージは、
前記第１の基地局と前記第２の基地局との間の第１のパケットデータベアラーの接続が除去されたことを前記第１の基地局が前記第２の基地局へ通知することを特徴とする請求項３５記載のシステム。
【請求項３７】
前記第２の基地局は、
前記第１の基地局と前記第２の基地局との間の前記第１のパケットデータベアラーの接続が除去されたことを前記第１の基地局から通知を受けると、前記第１の基地局へ前記移動局間のパケットデータ呼に関連したパケットデータの送信を中止することを特徴とする請求項３６記載のシステム。
【請求項３８】
ソース移動局（ＭＳ）と無線で通信する第１の基地局と、宛先移動局（ＭＳ）と無線で通信する第２の基地局と、前記第１及び前記第２の基地局を接続する移動電話交換局と、第１のパケットデータ接続を介して、前記第１基地局と前記第２の基地局との間で移動局間のパケットデータ呼に関連したパケットデータを直接的に送信するローカルインターネットプロトコル（ＩＰ）ネットワークとを含む無線通信システムにおいて、前記ソース移動局と前記宛先移動局との間の移動局間のパケットデータ呼をハンドリングするための方法であって、
前記ソース移動局が第３の基地局にハンドオフされることを示す第１のメッセージを前記第１の基地局が前記ソース移動局から受信するステップと、
前記第２の基地局と前記第３の基地局との間で前記移動局間のパケットデータ呼に関連したパケットデータを直接的に送信するために、前記ローカルＩＰネットワーク上で、第１のパケットデータベアラーの接続の設定を初期化して前記第１のメッセージに応答するステップと
を含むことを特徴とする方法。
【請求項３９】
前記第１のメッセージは、
前記第３の基地局に関連した信号強度測定値を含むことを特徴とする請求項３８記載の方法。
【請求項４０】
前記ソース移動局が前記第３の基地局にハンドオフされることを示す第２のメッセージを前記第１の基地局が前記移動電話交換局へ送信することによって、前記第１のメッセージに対する応答を遂行することを特徴とする請求項３９記載の方法。
【請求項４１】
前記第２のメッセージは、
前記ローカルＩＰネットワーク上の前記第２の基地局のＩＰアドレスと、前記移動局間のパケットデータ呼に関連したサービスオプションフィールドと、前記移動局間のパケットデータ呼を識別するための前記第１の基地局及び前記第２の基地局によって使用された呼識別子値と、前記ソース及び宛先移動局に関連した移動局識別子値とを含むことを特徴とする請求項４０記載の方法。
【請求項４２】
前記第２のメッセージは、
ハンドオフ要求メッセージを含むことを特徴とする請求項４０記載の方法。
【請求項４３】
前記移動電話交換局から前記第３の基地局に第３のメッセージを送信することによって、前記第２のメッセージに対する応答を遂行することを特徴とする請求項４０記載の方法。
【請求項４４】
前記第３のメッセージは、
前記ローカルＩＰネットワーク上の前記第２の基地局のＩＰアドレスと、前記移動局間のパケットデータ呼に関連したサービスオプションフィールドと、前記移動局間のパケットデータ呼を識別するための前記第１の基地局及び前記第２の基地局によって使用された呼識別子値と、前記ソース及び宛先移動局に関連した移動局識別子値とを含むことを特徴とする請求項４３記載の方法。
【請求項４５】
前記第３のメッセージは、ハンドオフ要求メッセージを含むことを特徴とする請求項４３記載の方法。
【請求項４６】
前記第３の基地局は、
前記第２の基地局と第２のパケットデータベアラーの接続を設定することによって、前記第３のメッセージに対する応答を遂行することを特徴とする請求項４３記載の方法。
【請求項４７】
前記第３の基地局は、
前記第２の基地局のＩＰアドレスと、前記移動局間のパケットデータ呼を識別するための第１及び第２の基地局によって使用された呼識別子値と、前記ソース移動局及び宛先移動局に関連した移動局識別子値とを用いて、前記第２のパケットデータベアラーの接続を設定することを特徴とする請求項４６記載の方法。
【請求項４８】
前記第２のパケットデータベアラーの接続を介して、前記移動局間のパケットデータ呼に関連したパケットデータを前記第２の基地局から前記第３の基地局へ送信することによって、前記第３の基地局が前記第２のパケットデータベアラーの接続の設定に応答することを特徴とする請求項４６記載の方法。
【請求項４９】
前記ソース移動局が第３の基地局にハンドオフされた後に、前記移動電話交換局から前記第１の基地局へ第４のメッセージを送信することを特徴とする請求項４８記載の方法。
【請求項５０】
前記第４のメッセージは、
前記第１の基地局と前記第２の基地局との間で前記第１のパケットデータベアラーの接続が除去されることを前記第１の基地局が前記第２の基地局へ通知することを特徴とする請求項４９記載の方法。
【請求項５１】
前記第１の基地局及び前記第２の基地局との間で、前記第１のパケットデータベアラーの接続が除去されることを第１の基地局から通知を受けると、前記第２の基地局から前記第１の基地局へ前記移動局間のパケットデータ呼に関連したパケットデータの送信を中止することを特徴とする請求項４９記載の方法。
【発明の詳細な説明】
【技術分野】
【０００１】
本発明は、無線通信システムに関し、特に、無線網において、移動局間のパケットデータ呼を生成するシステム及びそれに関連した方法に関する。
【背景技術】
【０００２】
無線通信システムは、社会のどこにでもある。ビジネス及び顧客は、広範囲な携帯電話、ページャー、個人通信サービス（personal communication services；ＰＣＳ）システム、及び固定式無線アクセス装置（例えば、セルラー性能を有するベンディングマシン）を含む非常に多様な移動無線端末機を使用する。
【０００３】
無線サービスプロバイダーは、移動端末機に対して、継続して新たな市場を開拓するために努力しており、無線装置及びサービスをさらに低いコスト及びさらなる信頼性があるように提供することによって、現存の市場を拡張させていく試みを持続している。移動端末機のコストは、ほとんどすべての人々が購入することができるまで低減したが、ユーザ、すなわち、加入者には、総コストのうちの僅か小さな部分に過ぎない。新規の顧客を継続して引き付けるために、無線サービスプロバイダーは、新規のサービス、特に、例えば、ユーザがインターネットブラウジング及びイメールの送受信を可能にするディジタルデータサービスを実現している。
【０００４】
加入者は、無線網において移動局間の高速のアプリケーション（application）を用いて、深い関心を有している。このような大部分の高速アプリケーション（例えば、ビデオフォン）は、ストリーミング（streaming）データアプリケーションを支援する無線接続ネックワーク（Radio Access Network；ＲＡＮ）を必要とする。上記ストリーミングデータアプリケーションは、一定の帯域幅を介して送信されなければならず、このとき、遅延（delay）がほとんどなく、ジッタ（jitter）レベルも低い状態に保持されなければならない。しかしながら、ＣＤＭＡ２０００ＲＡＮのような現在の無線網では、ストリーミングデータアプリケーションを支援する場合に幾つかの問題点を頻りに発生させている。例えば、基地局（ＢＳ）と移動局（ＭＳ）との間のパケットデータを送信する際に、上記基地局（Base Station；ＢＳ）と上記移動局（Mobile Station；ＭＳ）との間の無線インターフェースと上記移動局（ＭＳ）とパケットデータサービスノード（Packet Data Service Node；ＰＤＳＮ）との間のインターフェースとを含むネックワーク内の多くの地点で遅延及びジッタが発生されている。
【０００５】
上記遅延及びジッタは、ストリーミングデータがＰＤＳＮのような無線接続ネットワーク（radio access network；ＲＡＮ）の下部構造（infrastructure）を通過せず、移動局間にさらに直接的に送信されることができる場合に、最小化されることができる。しかしながら、よく知られているＲＡＮシグナリングメッセージは、ＴＩＡ−２００１−Ｃ標準（“Interoperability Specification for cdma2000 Access Network Interfaces”，June 2003）及びその他の標準に規定されており、直接的な移動局間（ＭＳ−ＭＳ）のパケットデータ呼を提供していない。上記ＴＩＡ−２００１−Ｃ標準は、移動発信された最初のパケットデータ呼のみを考慮している。
【０００６】
すべてのパケットデータ呼は、パケットデータ呼を発信した移動局にサービスする基地局をパケットデータサービスノード（ＰＤＳＮ）に接続させる制御信号を使用する。ソース移動局（source MS）によって送信されたすべてのデータは、上記ＰＤＳＮを介してパケットデータネットワークへ送信される。移動局間（ＭＳ−ＭＳ）のパケットデータ呼の場合に、上記データは、宛先移動局（destination MS）への連続的な送信のために、上記無線網の基地局へさらに送信される。このとき、上記データがＰＤＳＮまで送信された後に、次に、そこから戻されることは不要なことであり、パケットデータの遅延が発生する。さらに、上記ＰＤＳＮとの接続を設定するために、追加的なシグナリングが必要であり、このように追加されたシグナリングは、呼設定の時間を増加させ、成功率を減少させる。
【０００７】
米国特許出願第２００２００７７０９６（以下、“ＪＩＮ出願”と呼ぶ）では、同一の１つの基地局が２つの移動局にサービスを提供するという条件下で、移動局間のデータ呼を提供するための方法を開示している。上記ＪＩＮアプリケーションに開示された方法は、上記基地局と上記パケットデータサービスノードとの間の接続を要求しない移動局間のパケットデータ呼を設定する。しかしながら、記載されたように、上記移動局が１つの基地局によりサービスされるセル（cell）内に位置しなければならない。このような状況は、１つの基地局のみを使用する小規模の無線網（例えば、ホームネットワーク又は小規模の事務所用ネットワーク）で可能である。しかしながら、無線網オペレーターが多い基地局を有する無線接続ネットワークを構成する場合に、ここには、ひどい制限がある。相互に遠く離れている加入者は、異なる基地局からサービスを受けており、上記パケットデータサービスノード及び広域パケットデータネットワークを通過せずには、移動局間のストリーミングデータアプリケーションを開始することができない。
【０００８】
従って、少ない遅延及び低いジッタの特性を有する移動局間のパケットデータ接続を提供することができる無線網を必要とする。特に、パケットデータサービスノード（ＰＤＳＮ）及び広域パケットデータネットワークを要求しない第１の基地局から第２の基地局への移動局間のパケットデータ接続を提供することができる無線網を必要とする。より詳細には、１つの移動局が第１の基地局から第３の基地局にハンドオフ（Hand−Off）される場合に、上記第１の基地局から上記第３の基地局へ送信されるように、上記第１の基地局及び上記第２の基地局によってハンドリングされた移動局間のパケットデータ接続を可能にする無線網を必要とする。
【発明の開示】
【発明が解決しようとする課題】
【０００９】
上記背景に鑑みて、本発明の目的は、少ない遅延及び低いジッタの特性を有する移動局間のパケットデータの接続を提供することができる無線網システム及び方法を提供することにある。
【００１０】
本発明の他の目的は、サービス領域内でソース移動局（ＭＳ）と宛先移動局（ＭＳ）との間のパケットデータの呼接続を提供する無線網システム及び方法を提供することにある。
【００１１】
本発明のまた他の目的は、１つの移動局が第１の基地局から第３の基地局にハンドオフ（Hand−Off）される場合に、上記第１の基地局から上記第３の基地局へ送信されるように、上記第１及び第２の基地局によりハンドリングされた移動局間のパケットデータの接続を可能にする無線網システム及び方法を提供することにある。
【課題を解決するための手段】
【００１２】
このような目的を達成するために、本発明の第１の特徴によれば、ソース移動局と無線で通信することができる第１の基地局と、宛先移動局と無線で通信することができる第２の基地局と、上記第１の基地局と上記第２の基地局とを接続することができる移動電話交換局とを具備する無線通信システムにおいて、上記第１の基地局は、上記宛先移動局に移動局間のパケットデータの呼接続を要求する上記ソース移動局から第１のメッセージを受信することができ、上記第１のメッセージに応じて、ローカルＩＰネットワーク上で上記移動局間のパケットデータの呼接続の設定を初期化することを特徴とする。
【００１３】
本発明の第２の特徴によれば、上記第１の基地局は、上記宛先移動局に上記移動局間のパケットデータの呼接続が要求されることを示す第２のメッセージを上記移動電話交換局へ送信することによって、上記第１のメッセージに応答することを特徴とする。
【００１４】
本発明の第３の特徴によれば、上記移動電話交換局は、上記移動局間のパケットデータの呼接続が要求されることを示す第３のメッセージを上記第２の基地局へ送信することによって、上記第２のメッセージに応答することを特徴とする。
【００１５】
本発明の第４の特徴によれば、上記第２の基地局は、上記ローカルＩＰネットワーク上の上記第２の基地局のＩＰアドレスを含む第４のメッセージを上記移動電話交換局へ送信することによって、上記第３のメッセージに応答することを特徴とする。
【００１６】
本発明の第５の特徴によれば、上記移動電話交換局は、上記第２の基地局の上記ＩＰアドレス及び上記宛先移動局に関連した移動局識別子値を含む第５のメッセージを上記第１の基地局へ送信することによって、上記第４のメッセージに応答することを特徴とする。
【００１７】
本発明の第６の特徴によれば、上記第１の基地局は、上記ローカルＩＰネットワークを介して上記第２の基地局に関連したパケットデータベアラーの接続を設定するために、上記第２の基地局の上記ＩＰアドレスを使用することによって、上記第５のメッセージに応答することを特徴とする。
【００１８】
本発明の第７の特徴によれば、上記第１の基地局は、上記宛先移動局へ伝達されるように、上記ソース移動局からのデータパケットを識別するために、上記宛先移動局の移動局識別子を上記第２の基地局へ送信することを特徴とする。
【発明の効果】
【００１９】
本発明は、移動局間のパケットデータ呼を直接的に遂行することができる。ＩＰネットワーク１３１上で直接的な移動局間のシグナリングを使用することによって、パケットデータサーバノード１５０をバイパス（bypass）し、これによって、呼設定及びハンドオフをさらに速く遂行することができる。
【発明を実施するための最良の形態】
【００２０】
下記に詳述される内容は、当業者が発明の理解を助けるためのもので、本発明の幾つの特徴を概略的に説明する。本明細書では、付加的な特徴が後述される。当業者ならば、開示された概念及び特定の実施形態に基づいて、本発明の開示目的と同一の目的を遂行するための他の構造を容易に変形し、又は設計することができる。また、当業者ならば、そのような等価の構造が本発明の一番広い形態で、本発明の思想及び範囲から外れないことを明確に認識しなければならない。
【００２１】
本発明を詳細に説明するに先立って、本明細書の全般にわたって使用される特定の単語及び文句の定義を開示することが望ましい。“含む（include）”及び “なされる（comprise）”という文句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という文句だけではなく、その派生文句は、“含む（include）”、“含まれる（be included within）”、“相互に連結する（interconnect with）”、“内在する（contain）”、“内在する（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。制御器は、ハードウェア、ファームウエア、ソフトウェア、又は、それらうちの２つ以上の組合せで実現されることができる。ある特定の制御器に関連した機能性は、ローカルでも遠隔でも、集中するか又は分散することができることに留意しなければならない。特定の単語及び文句に関するこのような定義は、本明細書の全般にわたって規定されるもので、当該技術分野における通常の知識を有する者は、大部分の場合ではなくても、多くの場合において、このような定義がそのように定義された単語及び文句の先行使用にはもちろん、今後の使用にも適用されるものであることを理解すべきである。
【００２２】
本発明及びその長所をさらに完全に理解するためには、以後の説明及び添付図面を参照する。添付図面では、同一の図面符号が類似した対象物を示している。
【００２３】
本発明は、ＣＤＭＡ２０００無線網が、ストリーミングデータフロー（例えば、ビデオフォン呼）を要求する２つの移動局を速く接続させることができるようにする。本発明は、ＴＩＡ−２００１−Ｃ（“Interoperability Specification for cdma2000 Access Network Interfaces”，June 2003）に標準化されている公知の無線接続ネットワークシグナリングメッセージを修正することによって、上述した性能を達成する。
【００２４】
本明細書において、本発明の原理を説明するのに使用された下記に説明する図１〜図４及び多様な実施形態は、例として挙げられたのみであり、本発明の範囲を限定するよう解釈されてはならない。当該技術分野における通常の知識を有する者であれば、本発明の原理が適切に配列された任意の無線通信網で実現されることができることを分かる。
【００２５】
図１は、本発明の原理による１つの移動局に付加チャンネル（Supplemental Channel）が動的に割り当てられることができる典型的な無線網を示す。無線網１００は、複数のセル領域１２１〜１２３を具備し、各セル領域は、第１の基地局１０１、第２の基地局１０２、又は第３の基地局１０３のうちの１つを含む。基地局１０１〜１０３は、ＩＳ−２０００−Ｃ標準（すなわち、ＣＤＭＡ２０００のリリース（Release）Ｃ）に従う符号分割多重接続（ＣＤＭＡ）チャンネルを介して複数の移動局（ＭＳ）１１１〜１１４と通信する。移動局１１１〜１１４は、無線リンクを介して上記基地局と通信することができる従来の携帯無線電話、ＰＣＳハンドセット装置、ＰＤＡ、携帯コンピュータ、及び遠隔測定装置などを含む任意の適合した無線装置になってもよい。
【００２６】
本発明は、移動装置に限定されない。すなわち、固定無線端末機を含む他のタイプの無線接続端末機が使用されてもよい。以下の説明では、これを簡素化するために、移動局のみを示して説明するものとする。しかしながら、特許請求の範囲及び以下の説明に、“移動局”という用語を使用することは、厳密な意味の移動装置、例えば、携帯電話、無線ラップトップ、及び固定無線端末機、例えば、無線性能を有するモニタリング装置のすべてを包括するものであることに留意しなければならない。
【００２７】
点線は、基地局１０１〜１０３が位置したセル領域１２１〜１２３の概略的な境界を示している。上記セル領域がほぼ円形で示されることは、ただ、例示及び説明の目的のためである。一般的に、上記セル領域は、選択されたセル構成、自然、及び人工障害物に基づいて、他の不規則な形状を有することもあることを容易に理解することができる。
【００２８】
当該技術分野で周知のように、各セル領域１２１〜１２３は、複数のセクター（図示せず）から構成されるが、基地局に結合された指向性アンテナがそれぞれのセクターを照らしている。図１の実施形態は、基地局がセルの中心にあることを示している。他の実施形態では、指向性アンテナがセクターのコーナーに位置する。本発明のシステムは、ある特定のセル構成に限定されない。
【００２９】
本発明の一実施形態において、第１の基地局１０１、第２の基地局１０２、及び第３の基地局１０３は、１つの基地局制御器（base station controller；ＢＳＣ）と少なくとも１つの基地局送受信器サブシステム（base transceiver subsystem；ＢＴＳ）とを備える。基地局制御器及び基地局送受信器サブシステムは、当該技術分野でよく知られている。基地局制御器は、無線通信ネットワーク内の特定のセルのために、基地局送受信器サブシステムを含む無線通信資源を管理する装置である。基地局送受信器サブシステムは、それぞれのセル領域に位置した無線送受信器、アンテナ、及び他の電気装備を含む。このような装備は、空調ユニット、加熱ユニット、電源、電話線インターフェース、無線送信器、及び無線受信器を含むことができる。本発明の動作を簡単にかつ明瞭に説明するために、それぞれのセル領域１２１、１２２、１２３内の基地局送受信器サブシステム及びそれぞれの基地局送受信器サブシステムに関連した基地局制御器を集合的に基地局１０１、基地局１０２、及び基地局１０３”で表現する。
【００３０】
第１の基地局１０１、第２の基地局１０２、及び第３の基地局１０３は、これら相互間と公衆交換電話網（public switched telephone network；ＰＳＴＮ）（図示せず）との間で、通信ライン１３１及び移動電話交換局（mobile switching center；ＭＳＣ）１４０を介して音声信号及びデータ信号を転送する。また、第１の基地局１０１、第２の基地局１０２、及び第３の基地局１０３は、通信ライン１３１及びパケットデータサーバノード（packet data server node；ＰＤＳＮ）１５０を介してパケットデータのようなデータ信号をインターネット（図示せず）で転送する。パケット制御機能（Packet control function；ＰＣＦ）ユニット１９０は、基地局１０１〜１０３とＰＤＳＮ１５０との間のデータパケットのフローを制御する。ＰＣＦユニット１９０は、ＰＤＳＮ１５０の一部として、又は、ＭＳＣ１４０の一部として、又は、図１に示したように、ＰＤＳＮ１５０と通信する独立型装置（stand-alone device）として実現されることができる。また、通信ライン１３１は、ＭＳＣ１４０と基地局１０１、基地局１０２、及び基地局１０３との間で、音声回路及びデータ回路の接続を設定するのに使用されるＭＳＣ１４０と基地局１０１、１０２、１０３との間の制御信号を転送するための接続経路を提供する。
【００３１】
通信ライン１３１は、Ｔ１ライン、Ｔ３ライン、光ファイバリンク、又は、ある他の類型のデータ接続を含む任意の適切な接続手段になってもよい。通信ライン１３１上の接続は、アナログ音声信号又はディジタル音声信号をパルスコード変調（pulse code modulated；ＰＣＭ）フォーマット、インターネットプロトコル（Internet Protocol；ＩＰ）フォーマット、及び非同期転送モード（asynchronous transfer mode；ＡＴＭ）フォーマットなどで送信することができる。また、本発明の実施形態に従って、通信ライン１３１は、第１の基地局１０１、第２の基地局１０２、及び第３の基地局１０３を含む無線網１００の基地局間のパケットデータを送信するインターネットプロトコル（ＩＰ）接続を提供する。従って、通信ライン１３１は、パケットデータサービスノード１５０を使用しなくても基地局間の直接的なＩＰの接続を提供する近距離接続通信網（Local Area Network；ＬＡＮ）を備える。
【００３２】
ＭＳＣ１４０は、無線網内に位置した加入者装置とＰＳＴＮ又はインターネットのような外部網との間で、サービス及び調整を提供する交換装置である。ＭＳＣ１４０は、当該技術分野でよく知られている。本発明の一部の実施形態では、通信ライン１３１がいくつかの相互に異なるデータリンクから構成されることができるが、その場合に、各データリンクは、第１の基地局１０１、第２の基地局１０２、及び第３の基地局１０３のうちの１つをＭＳＣ１４０に結合させる。
【００３３】
代表的な無線網１００では、第１の移動局１１１がセル領域１２１内に位置し、第１の基地局１０１と通信する。また、第２の移動局１１３は、セル領域１２２内に位置し、第２の基地局１０２と通信する。第３の移動局１１４は、セル領域１２３内に位置し、第３の基地局１０３と通信する。そして、第４の移動局１１２は、セル領域１２３のエッジに近接して位置し、矢印方向で示すように、セル領域１２３に向けて移動している。特定の時点で、第４の移動局１１２がセル領域１２１を離脱して、セル領域１２３へ移動するにつれて、ハンドオフ（hand−off）が発生する。
【００３４】
本発明の実施形態に従うと、無線網１００内で動作する移動局は、ストリーミングデータアプリケーション（例えば、ビデオフォン）を実行させることができる。このような高速のアプリケーションを容易に実現するために、本発明は、パケットデータサーバノード（１５０）を介したパケットデータを送信することなく、通信ライン１３１を介して基地局間の待機及び遅延が少ないＩＰ接続を提供する。本発明は、ＣＤＭＡ２０００無線接続ネットワーク（ＲＡＮ）の基地局間の（ＴＩＡ−２００１−Ｃ標準に基づく）メッセージング（messaging）のシステム及び方法を具備する。
【００３５】
本発明は、次のような仮定に基づいている。
一番目に、２つの移動局は、現在、１つの移動電話交換局１４０の制御下にあるセル内にある。
二番目に、ＩＰ基盤のパケット交換網（すなわち、通信ライン１３１）は、ＭＳＣ１４０の制御下にすべての基地局を接続させる。
三番目に、上記移動局間のデータ呼のためのすべての課金は、移動電話交換局１４０で遂行され、ただ、空中送信時のみを基準にして課金が遂行される。
四番目に、上記移動局間のデータ呼は、休止（dormant）状態を有しない。すなわち、２つの移動局は、データ呼が持続される間にトラヒックチャンネル上に滞在する。
【００３６】
本発明は、ＴＩＡ−２００１−Ｃ標準に説明されたように、周知のＣＤＭＡ２０００ＲＡＮ構造を用いて実現される。図１は、無線網１００を備える構造を示す。以下で説明する例において、２つの移動局（すなわち、第１の移動局１１１及び第２の移動局１１３は、それぞれの別途の基地局（すなわち、第１の基地局１０１及び第２の基地局１０２）によってサービスを受け、このとき、上記基地局は、ＴＩＡ−２００１−Ｃ標準で定義されたように、ＩＰ基盤のパケット交換網、すなわち、通信ライン１３１を介して接続される。上記２つの基地局は、ＴＩＡ−２００１−Ｃ標準で定義されたインターフェースを介して移動電話交換局１４０に接続される。第１の移動局１１１及び第２の移動局１１３は、無線インターフェース標準ＴＩＡ−２００１−Ｃの“ＣＤＭＡ２０００拡散スペクトルシステム（cdma2000 Spread Spectrum Systems”, May 2002）に定義されたメッセージングを使用して無線網１００の基地局と通信する。
【００３７】
図２は、本発明の実施形態による移動局間のパケットデータ呼の設定を示すメッセージフロー図である。図２は、本発明の動作を説明するために、通信ライン１３１をネットワーククラウド（cloud）として示す。以下の説明で頻繁に使用する用語“ＩＰネットワーク１３１”は、ライン１３１を意味する。
【００３８】
１つのソース移動局（すなわち、第１の移動局１１１）は、移動局間のパケットデータ呼を示すサービスオプション（service option；ＳＯ）データフィールドを有する発信メッセージ（origination message）２０１を送信することによって、移動局間のパケットデータの呼を開始する。このとき、発信メッセージ２０１は、宛先移動局、すなわち、第２の移動局１１３の番号を含む。第１の基地局１０１は、上記サービスオプション（ＳＯ）及び発信移動局１１３の電話番号を示すＣＭサービス要求メッセージ２０２を移動電話交換局１４０へ送信する。これと同時に、第１の基地局１０１は、第１の移動局１１１へのトラヒックチャンネルの設定を開始する。
【００３９】
移動電話交換局１４０は、第１の移動局１１１及び第２の移動局１１３をすべて認証し、上記２つの装置が無線網１００への接続が許容されたことを検証する。また、移動電話交換局１４０は、第１の移動局１１１及び第２の移動局１１３がすべて移動局間のパケットデータの呼サービスの使用に対する許容を受けたか否かを検証する。移動電話交換局１４０は、サービス領域内で第２の移動局１１３を探し、第２の移動局１１３が最後に登録された基地局である第２の基地局１０２へページング要求メッセージ（paging request message）を送信する。これに対する応答として、第２の基地局１０２は、パケットデータの着呼（incoming Packet data call）のサービスオプション（ＳＯ）を有するページングメッセージ（paging message）２０４を第２の移動局１１３へ送信する。第２の移動局１１３は、上記パケットデータの呼を許容することを示す応答メッセージ２０５を送信する。
【００４０】
次いで、第２の基地局１０２は、第２の移動局１１３がページングメッセージ２０４に応答したことを示すページング応答メッセージ（Paging Response Message）２０６を移動電話交換局１４０へ送信する。また、第２の基地局１０２は、ページング応答メッセージ２０６に自身のＩＰネットワークアドレスを示す。従って、移動電話交換局１４０は、ＩＰネットワーク１３１上で、第２の基地局１０２のＩＰアドレスを認知する。移動電話交換局１４０は、割当て要求メッセージ（Assignment Request Message）２０７を第２の基地局１０２へ送信して、上記パケットデータの呼設定を開始する。第２の基地局１０２は、第２の移動局１１３へのトラヒックチャンネルを設定するために、通常の無線インターフェースメッセージング（air interface messaging）を使用する。第２の基地局１０２が第２の移動局１１３へのトラヒックチャンネルの設定を完了した場合に、第２の基地局１０２は、割当て完了メッセージ（assignment complete message）（図示せず）を移動電話交換局１４０へ送信して、上記パケットデータの呼接続が第２の基地局１０２と第２の移動局１１３との間に設定されたことを示す。
【００４１】
一方、移動電話交換局１４０は、割当て要求メッセージ２０８を第１の基地局１０１へ送信して、宛先移動局である第２の移動局１１３が位置しており、上記パケットデータ呼が設定されていることを第１の基地局１０１へ通知する。割当て要求メッセージ２０８は、ＩＰネットワーク１３１上の第２の基地局１０２のＩＰアドレスを含む。また、割当て要求メッセージ２０８は、第２の移動局１１３の移動局識別子（ＩＭＳＩ又はＥＳＮ）を含む。呼設定がまだ完了されなかったら、第１の基地局１０１は、第１の移動局１１１へのトラヒックチャンネルの設定を終了する（メッセージ２０９）。上記トラヒックチャンネルが最終的に設定されると、第１の基地局１０１は、上記パケットデータの呼設定が第１の基地局１０１と第１の移動局１１１との間で設定されたことを示す割当て完了メッセージ（Assignment Complete Message）（図示せず）を移動電話交換局１４０へ送信する。
【００４２】
移動電話交換局１４０によって提供された第２の基地局１０２のＩＰネットワークアドレスを用いて、第１の基地局１０１は、ＴＩＡ−２００１−Ｃ標準に定義されたようなメッセージングを使用する第２の基地局１０２にパケットデータベアラー接続２１０を設定する。パケットデータベアラー接続２１０は、第１の基地局１０１と第２の基地局１０２との間で、移動局間の呼に関連したパケットデータトラヒックを伝達する。第１の基地局１０１と第２の基地局１０２との間の制御メッセージは、第２の移動局１１３の移動局識別子を含むことによって、第２の基地局１０２が第２の移動局１１３への上記パケットデータ呼とパケットデータベアラー接続２１０を関連させることができる。この後、第１の基地局１０１及び第２の基地局１０２のそれぞれが第１の移動局１１１及び第２の移動局１１３のうちの１つから受信するすべてのデータパケットは、他の第１の移動局１１１又は第２の移動局１１３への引き続きの送信のために、パケットデータベアラー接続２１０を介して他の第１の基地局１０１又は第２の基地局１０２へ送信される。これによって、セルのためのＲＡＮトラヒックリンクが設定される。
【００４３】
最終的に、第１の移動局１１１及び第２の移動局１１３は、リンクレイヤー接続（点線２１１で示す）を設定する。例えば、これは、ポイントツーポイントプロトコル（point-to-point Protocol；ＰＰＰ）接続であってもよい。一応、上記リンク階層が設定されると、移動局１１１及び１１３は、相互間にパケットデータ（例えば、ビデオ呼）を交換することができる。
【００４４】
ＩＰネットワーク１３１を介した基地局１０１と１０２との間の接続を設定するために、本発明は、従来のＣＤＭＡ２００ＲＡＮメッセージングに対する次のような特定の変更事項を要求する。
【００４５】
一番目に、新たな移動局間のパケットデータサービスオプションが定義され、上記サービスオプションは、移動局が移動局間のパケットデータ呼を開始するか、又は受信することができるようにし、新たな呼が移動局間のパケットデータ呼であることを無線網１００へ通知する機能をする。
【００４６】
二番目に、第２の基地局１０２のＩＰネットワークアドレスが割当て要求メッセージ２０８及びページング応答メッセージ２０６に付加されなければならず、これによって、移動電話交換局１４０は、上記宛先基地局、すなわち、第２の基地局１０２のＩＰアドレスを上記ソース基地局、すなわち、第１の基地局１０１へ送信することができる。これは、ＩＰネットワーク１３１を介して移動局間のデータリンクを設定するのに必要である。
【００４７】
三番目に、上記ＩＰネットワークリンクを設定する移動局間のメッセージングのために、新たなインジケータ（indicator）が付加され、上記新たなインジケータによって、パケットデータベアラー接続が移動局間の呼のためのものという情報を宛先基地局、すなわち、第２の基地局１０２へ通知する。
【００４８】
図３は、本発明の実施形態による移動局間のパケットデータ呼に対する基地局１０１と基地局１０３との間のハンドオフを示すメッセージフロー図である。図３において、第１の基地局１０１及び第２の基地局１０２を介した第１の移動局１１１と第２の移動局１１３との間の移動局間のパケットデータ呼が、図２で説明したように、すでに存在すると仮定する。特定の時点で、第１の移動局１１１は、点線で示すように、第１の基地局１０１のサービス領域を離脱して、第３の基地局１０３のサービス領域へ進入する。このような状況が発生すると、第１の移動局１１１は、第１の基地局１０１から第３の基地局１０３へハンドオフされる。上記移動局間のパケットデータ呼がドロップ（drop）されることを防止するために、第１の基地局１０１が前に遂行した役割を第３の基地局１０３が遂行しなければならない。従って、上記移動局間のパケットデータ呼が第１の基地局１０１から第３の基地局１０３へハンドオフされなければならない。
【００４９】
このような手順を遂行するにあたって、移動電話交換局１４０は、ＴＩＡ−２００１−Ｃ標準に基づいて、第１の基地局１０１、第２の基地局１０２、及び第３の基地局１０３のそれぞれとメッセージのやりとりをする。同様に、第１の基地局１０１、第２の基地局１０２、及び第３の基地局１０３は、ＴＩＡ−２００１−Ｃ標準に基づいて、相互間にメッセージを送受信する。第１の移動局１１１は、ＴＩＡ−２００１−Ｃ標準に基づいて、第１の基地局１０１及び第３の基地局１０３とメッセージを送受信する。
【００５０】
まず、第１の移動局１１１は、第３の基地局１０３によりサービスされるターゲットセルへのハンドオフを示すメッセージ３０１内にパイロット強度測定値を第１の基地局１０１へ送信する。第１の基地局１０１は、ハンドオフ要求メッセージ（handoff required message）３０２を移動電話交換局１４０へ送信することによって応答する。ハンドオフ要求メッセージ３０２は、移動局間のパケットデータ呼のためのサービスオプション（ＳＯ）と、第１の基地局１０１及び第２の基地局１０２が移動局間のパケットデータ呼のために使用している呼識別子と、第１の移動局１１１及び第２の移動局１１３のための移動局識別子と、第２の基地局１０２のＩＰネットワークアドレスと、を含む。移動電話交換局１４０は、移動電話交換局１４０の制御下に、上記ターゲットセルが基地局、すなわち、第３の基地局１０３に属していることを決定して、ハンドオフ要求メッセージ３０３を第３の基地局１０３へ送信する。
【００５１】
ハンドオフ要求メッセージ３０３は、移動電話交換局１４０が第１の基地局１０１から受信したハンドオフ要求メッセージ３０２の情報と同一の情報を含む。第３の基地局１０３は、第１の移動局１１１から発信されたメッセージを受信する準備をし、第３の基地局１０３が上記ハンドオフ要求を許容することを示すハンドオフ要求承認メッセージ３０４を移動電話交換局１４０へ送信する。これと同時に、第３の基地局１０３は、自身が移動電話交換局１４０から受信したＩＰアドレス、移動局識別子、及び呼識別子を用いて、第２の基地局１０２とのパケットデータベアラー接続３０５の設定を開始する。一応、パケットデータベアラー接続３０５が設定されると、第２の基地局１０２は、第１の基地局１０１へ送信されるすべてのデータを第１の基地局１０１及び第３の基地局１０３へ送信して、第１の基地局１０１及び第３の基地局１０３のうちのいずれか１つからデータを受信する準備をする。
【００５２】
移動電話交換局１４０は、ハンドオフ命令メッセージ３０６を第１の基地局１０１へ送信し、第３の基地局１０３がハンドオフされる準備ができていることを示す。第１の基地局１０１は、ハンドオフ指示メッセージ３０７（例えば、拡張（extended）ハンドオフ指示メッセージ３０７、ユニバーザル（universal）ハンドオフ指示メッセージ３０７など）を第１の移動局１１１へ送信し、第１の移動局１１１が第３の基地局１０３によってサービスされるターゲットセル上で情報の送受信を開始することを示す。第１の移動局１１１が第３の基地局１０３を獲得すると、第１の移動局１１１は、ハンドオフ完了メッセージ３０８を第３の基地局１０３へ送信する。このとき、上記移動局間のパケットデータ呼は、第１の基地局１０１から第３の基地局１０３へハンドオフされる。第１の移動局１１１及び第２の移動局１１３は、第２の基地局１０２と第３の基地局１０３との間に設定されたパケットデータベアラー接続３０５を介してデータを引き続き交換する。
【００５３】
次いで、第１の移動局１１１を成功的に獲得した後に、第３の基地局１０３は、ハンドオフ完了メッセージ３０９を移動電話交換局１４０へ送信する。移動電話交換局１４０は、解除命令メッセージ（clear command message）３１０を第１の基地局１０１へ送信し、第３の基地局１０３によって、第１の移動局１１１が成功的に獲得されたことを示す。第１の基地局１０１は、第２の基地局１０２とのパケットデータベアラー接続３１１を解除させるためのメッセージングを送信する。第２の基地局１０２は、第１の移動局１１１へ向かうデータを第１の基地局１０１へ送信することを中断する。このような作業が完了した後に、第１の基地局１０１は、解除完了メッセージ（図示せず）を移動電話交換局１４０へ送信し、第１の基地局１０１上で移動局間のパケットデータ呼が解除されたことを示す。
【００５４】
ＩＰネットワーク１３１を介した基地局間の接続をハンドオフするために、本発明は、従来のＣＤＭＡ２００ＲＡＮメッセージングに対する次のような特定の変更事項を要求する。
【００５５】
一番目に、ハンドオフ要求メッセージ３０２及びハンドオフ要求メッセージ３０３は、ＴＩＡ−２００１−Ｃ標準に定義されたように、第２の移動局１１３のための移動局識別子及び第２の基地局１０２のＩＰネットワークアドレスだけではなく、上記移動局間のパケットデータ呼に対する新たなサービスオプション（ＳＯ）を含まなければならない。
二番目に、図２で説明したように、上記基地局間のメッセージングに対する変化が要求される。
【００５６】
図４は、本発明の実施形態による移動局間のパケットデータ呼の解除を示しているメッセージフロー図である。このような手順において、移動電話交換局１４０は、ＴＩＡ−２００１−Ｃ標準に基づいて、第１の基地局１０１及び第２の基地局１０２のそれぞれとメッセージを送受信する。同様に、第１の基地局１０１及び第２の基地局１０２は、ＴＩＡ−２００１−Ｃ標準に基づいて、相互間にメッセージを送受信する。第１の移動局１１１は、ＴＩＡ−２００１−Ｃ標準に基づいて、第１の基地局１０１及び第２の基地局１０２とメッセージを送受信する。
【００５７】
ある時点で、１つの移動局（本実施形態での第２の移動局１１３）が上記移動局間のパケットデータ呼を終了する。これを遂行するために、第２の移動局１１３は、解除命令メッセージ（release order message）４０１を第２の基地局１０２へ送信して、該当呼を解除する。第２の基地局１０２は、解除命令メッセージ４０１の受信を知らせるメッセージ４０２を送信し、第２の移動局１１３へ向かうトラヒックチャンネルを解除する。第２の基地局１０２は、ＩＰネットワーク１３１のパケットデータベアラー接続４０３上の第１の基地局１０１へパケットデータベアラー接続４０３が解除されなければならないことを通知する。すなわち、第１の基地局１０１が上記移動局間のパケットデータ呼をこれ以上支援する必要がないことを第１の基地局１０１へ通知する。
【００５８】
第２の基地局１０２は、解除要求メッセージ（clear request message）４０４を移動電話交換局１４０へ送信して、上記移動局間のパケットデータ呼が解除されることを要求する。移動電話交換局１４０は、上記移動局間のパケットデータ呼の解除を命令する解除命令メッセージ４０５を第２の基地局１０２へ送信する。このとき、第２の基地局１０２は、すべての資源が解除された後に、解除完了メッセージ４０６を移動電話交換局１４０へ送信する。
【００５９】
ＩＰネットワーク１３１上のパケットデータベアラー接続４０３が解除されるという指示を第２の基地局１０２から受信した後に、第１の基地局１０１は、解除要求メッセージ４０７を移動電話交換局１４０へ送信して、上記移動局間のパケットデータ呼が解除されることを要求する。移動電話交換局１４０は、解除命令メッセージ４０８を第２の基地局１０２へ送信して、上記移動局間のパケットデータ呼を解除する。第１の基地局１０１は、解除命令メッセージ（release order message）４０９を第１の移動局１１１へ送信して、上記トラヒックチャンネルを解除する。第１の移動局１１１は、メッセージ４１０を送信して解除命令メッセージ４０９の受信を知らせる。このとき、上記トラヒックチャンネルが解除される。第１の基地局１０１は、すべての資源が解除された後に、解除完了メッセージ４１１を移動電話交換局１４０へ送信する。
【００６０】
上述した解除手順は、ＴＩＡ−２００１−Ｃ標準に定義されたような既存のメッセージを使用して達成されることもできる。２つの移動局１１１及び１１３が上記移動局間のパケットデータ呼を同時に解除することができることに留意しなければならない。移動電話交換局１４０は、それぞれの移動局に対する課金を継続して追跡しなければならない。
【００６１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００６２】
【図１】本発明の実施形態による付加チャンネル（ＳＣＨ）が動的に割り当てられることができる典型的な無線網を示す図である。
【図２】本発明の実施形態による移動局間のパケットデータ呼の設定を示したメッセージフロー図である。
【図３】本発明の実施形態による移動局間のパケットデータ呼に対する基地局間のハンドオフを示すメッセージフロー図である。
【図４】本発明の実施形態による移動局間のパケットデータ呼の解除を示すメッセージフロー図である。
【符号の説明】
【００６３】
１００      無線網
１０１      第１の基地局
１０２      第２の基地局
１０３      第３の基地局
１１１〜１１４      複数の移動局
１２１〜１２３      複数のセル領域
１３１      通信ライン
１４０      移動電話交換局（ＭＳＣ）
１５０      パケットデータサーバノード（ＰＤＳＮ）
１９０      パケット制御機能（ＰＣＦ）ユニット
【図１】
2006524932.tif 000003
【図２】
2006524932.tif 000004
【図３】
2006524932.tif 000005
【図４】
2006524932.tif 000006
【国際調査報告】
2006524932.tif 000007
2006524932.tif 000008